(57)【要約】【課題】吐出ノズルの液滴吐出量に応じて液滴を吐出する受容部の大きさを制御することで、均一な厚みで高品質な薄膜を形成する方法を提供する。【解決手段】複数の吐出ノズル１６０について、液状体Ｌの吐出量の測定量を得る工程と、各々の所定領域１８４の周囲に隔壁１８１を設け、複数の受容部１８２を形成する工程と、複数の吐出ノズル１６０から、それぞれ対応する複数の受容部１８２に液状体を配置し、薄膜１８３を形成する工程と、を備え、受容部１８２を形成する工程では、それぞれの吐出ノズル１６０に係る測定量を比較し、相対的に測定量の多い吐出ノズル１６０に対応する受容部１８２の平面視面積を、相対的に測定量の少ない吐出ノズル１６０に対応する受容部１８２の平面視面積よりも小さく形成する。【選択図】図６
2009178674.tif 000002
【特許請求の範囲】
【請求項１】
複数の吐出ノズルと基板とを相対的に走査させながら前記吐出ノズルから薄膜の形成材料を含む液状体を吐出し、前記基板上に設定された複数の所定領域に対して前記液状体をそれぞれ配置して、前記薄膜を形成する薄膜形成方法であって、
所定の吐出条件で前記吐出ノズルから吐出される前記液状体の吐出量を、前記複数の吐出ノズルの各々について測定し、前記液状体の測定量を得る工程と、
各々の前記所定領域の周囲に隔壁を設け、前記隔壁と前記隔壁に囲まれた領域の底部とに囲まれた複数の受容部を形成する工程と、
前記複数の吐出ノズルから、それぞれ対応する前記複数の受容部に前記液状体を配置し、前記薄膜を形成する工程と、を備え、
前記受容部を形成する工程では、それぞれの前記吐出ノズルに係る前記測定量を比較し、
相対的に前記測定量の多い前記吐出ノズルに対応する前記受容部の平面視面積を、相対的に前記測定量の少ない前記吐出ノズルに対応する前記受容部の平面視面積よりも小さく形成することを特徴とする薄膜形成方法。
【請求項２】
前記測定量を得る工程では、前記液状体に対する接触角を制御した測定基板上に前記液状体を吐出し、光干渉法を用いて前記吐出量を測定することを特徴とする請求項１に記載の薄膜形成方法。
【請求項３】
前記光干渉法は、白色光干渉法であることを特徴とする請求項２に記載の薄膜形成方法。
【請求項４】
前記測定量を得る工程では、吐出した前記液状体に含まれる溶媒を蒸発させて前記形成材料の薄膜を成膜し、測定する該薄膜の体積から前記測定量を算出することを特徴とする請求項１から３のいずれか１項に記載の薄膜形成方法。
【請求項５】
前記受容部を形成する工程では、各々の前記吐出ノズルに係る前記測定量に対応して、前記複数の吐出ノズルを相対的に走査させる方向に前記受容部の平面視形状を変更し、前記受容部の前記平面視面積を変化させることを特徴とする請求項１から請求項４のいずれか１項に記載の薄膜形成方法。
【請求項６】
前記隔壁は、光硬化性樹脂を用いて形成することを特徴とする請求項１から５のいずれか１項に記載の薄膜形成方法。
【請求項７】
前記受容部を形成する工程では、前記複数の吐出ノズルを、幾つかの隣接する前記吐出ノズルを含む複数のノズル群に分割して、前記ノズル群が備える幾つかの前記吐出ノズルの各々に係る前記測定量の総量である総測定量を比較し、
相対的に前記総測定量の多い前記ノズル群に対応する前記受容部の平面視面積を、相対的に前記総測定量の少ない前記ノズル群に対応する前記受容部の平面視面積よりも小さく形成し、
前記薄膜を形成する工程では、前記複数のノズル群がそれぞれ対応する前記複数の受容部に前記液状体を配置することを特徴とする請求項１から６のいずれか１項に記載の薄膜形成方法。
【請求項８】
基板と前記基板上に予め設定された画素領域の周囲に配置された隔壁で囲まれた複数の受容部と、前記受容部内の前記画素領域に形成された着色層と、を備え、電気的作用によって発光あるいは光の状態を変化させる電気光学素子を備えた電気光学装置において、前記電気光学素子と前記画素領域とが平面的に重なって取り付けられるカラーフィルタの製造方法であって、
前記受容部の前記隔壁に係る側壁の深さ方向の一端部の平面視面積が、前記電気光学素子が備える画素電極の平面視面積以上で、且つ、前記深さ方向の他端部の平面視面積以下であり、
前記着色層は、請求項１から７のいずれか１項に記載の薄膜形成方法を用いて、前記着色層の形成材料を含む液状体を前記受容部に配置し形成することを特徴とするカラーフィルタの製造方法。
【発明の詳細な説明】
【技術分野】
【０００１】
本発明は、液滴吐出法を用いた薄膜形成方法と、それを用いたカラーフィルタの製造方法に関するものである。
【背景技術】
【０００２】
近年、液滴吐出法を用いた成膜技術が注目されている。液滴吐出法は、用いる液滴吐出ヘッドの解像度に応じて微少な液状体を所望の位置に塗布することが可能であることから、微細なパターンの形成や、所望の膜厚を備えた薄膜の形成が容易であるという特長を有する。この特長を利用し、例えば微細な色の塗り分けが必要なカラーフィルタの製造に利用されている。
【０００３】
しかしながら、液滴吐出ヘッドによる液状体の吐出特性（吐出量）には、成形誤差等に起因して、わずかながらもノズル間でバラつきが存在する。この吐出量のバラつきを低減するため、個々の吐出ノズルの吐出量を制御しバラつきを抑制する方法が提案されている。例えば特許文献１では、液滴の吐出量が所定値と大きく異なるノズルにおいては液滴吐出を規制し、全体として吐出量の差の少ない液滴吐出ヘッドとすることを提案している。
【特許文献１】特開２００３−１５９７８７号公報
【発明の開示】
【発明が解決しようとする課題】
【０００４】
ところで、液滴吐出法を用いて前述のカラーフィルタを製造する場合には、多くの場合、カラーフィルタの色材（着色層）が配置される画素領域の周囲に画素間を区画する隔壁を設け、該隔壁で囲まれた領域（受容部）に対して着色層の形成材料を含む液状体を吐出する方法を用いる。着色層の形成領域を隔壁で囲むことにより、吐出された液滴が画素間で混ざり混色することを防止すると共に、画素間に配置されてしまった液状体が受容部に流れ込み、精度良い塗りわけにより良好なカラーフィルタの製造が可能となる。
【０００５】
しかし、従来の受容部の大きさは画一的である。そのため、上述のような液滴吐出ヘッドが備える吐出量バラつきは、走査方向に直交する方向（副走査方向）に液状体の配置量のバラつきを生じさせ、同じ大きさの受容部に溜まる液状体の厚みに差を生じさせる。その結果、形成する着色層に厚みの差（厚みムラ）を生じ、副走査方向に筋状の濃淡ムラを発生させることがある。このような筋状の濃淡ムラは視認されやすく、例えばカラーフィルタの製造においては、カラーフィルタを介して表示される画像の画質を低下させる原因となる。
【０００６】
本発明はこのような事情に鑑みてなされたものであって、液滴吐出ヘッドが備える各吐出ノズルの液滴吐出量に応じて液滴を吐出する受容部の大きさを制御することで、均一な厚みで高品質な薄膜を形成する方法を提供することを目的とする。
【課題を解決するための手段】
【０００７】
上記の課題を解決するため、本発明の薄膜形成方法は、複数の吐出ノズルと基板とを相対的に走査させながら前記吐出ノズルから薄膜の形成材料を含む液状体を吐出し、前記基板上に設定された複数の所定領域に対して前記液状体をそれぞれ配置して、前記薄膜を形成する薄膜形成方法であって、所定の吐出条件で前記吐出ノズルから吐出される前記液状体の吐出量を、前記複数の吐出ノズルの各々について測定し、前記液状体の測定量を得る工程と、各々の前記所定領域の周囲に隔壁を設け、前記隔壁と前記隔壁に囲まれた領域の底部とに囲まれた複数の受容部を形成する工程と、前記複数の吐出ノズルから、それぞれ対応する前記複数の受容部に前記液状体を配置し、前記薄膜を形成する工程と、を備え、前記受容部を形成する工程では、それぞれの前記吐出ノズルに係る前記測定量を比較し、相対的に前記測定量の多い前記吐出ノズルに対応する前記受容部の平面視面積を、相対的に前記測定量の少ない前記吐出ノズルに対応する前記受容部の平面視面積よりも小さく形成することを特徴とする。
この方法によれば、吐出ノズルの吐出量にバラつきがあっても、吐出ノズルに対応して形成する受容部の大きさが吐出量バラつきに応じて変化しているため、吐出量バラつきを補正するための吐出ノズル毎の細かな吐出条件の設定が必要なく、液状体の厚みを均一に配置することができる。そのため、均一な厚みの薄膜を形成することができる。
【０００８】
本発明においては、前記測定量を得る工程では、前記液状体に対する接触角を制御した測定基板上に前記液状体を吐出し、光干渉法を用いて前記吐出量を測定することが望ましい。
この方法によれば、接触角を制御した条件で光干渉法を用いた測定を行うことにより、液状体の吐出量を正確に測定することができ、得られた測定量に基づいて受容部を形成することで均一な厚みの薄膜を形成することができる。
【０００９】
本発明においては、前記光干渉法は、白色光干渉法であることが望ましい。
測定光に単色光を用いる場合、光路差が測定光の波長の整数倍となる複数の位置において干渉光の強度が最大となるため、干渉光の強度が最大となる位置を薄膜の厚みとして一義的に規定することができない。しかし、白色光は複数の波長の単色光が集合したものであることから単色光のように周期的に干渉光の強度が最大となることがなく、光路差が無い場合にのみ干渉光の強度が最大となる。このため、薄膜の厚みを一義的に規定し正確に薄膜の厚みを測定することができ、正確に吐出量を求めることができることから、均一な薄膜を形成することができる。
【００１０】
本発明においては、前記測定量を得る工程では、吐出した前記液状体に含まれる溶媒を蒸発させて前記形成材料の薄膜を成膜し、測定する該薄膜の体積から前記測定量を算出することが望ましい。
この方法によれば、吐出量の測定において、液状体の溶媒が蒸発することによる体積変化に起因する測定誤差が無く、信頼性の高い測定を容易に行うことができる。
【００１１】
本発明においては、前記受容部を形成する工程では、各々の前記吐出ノズルに係る前記測定量に対応して、前記複数の吐出ノズルを相対的に走査させる方向に前記受容部の平面視形状を変更し、前記受容部の前記平面視面積を変化させることが望ましい。
吐出ノズルを相対的に走査する方向に垂直な方向（副走査方向）に受容部の平面視形状を変化させると、吐出される液状体が受容部に配置されるためには、走査方向のみならず副走査方向についても吐出ノズルと受容部との相対位置の制御を行う必要が生じる。しかしこの方法によれば、受容部の形状を走査方向に平行な方向に変化させるため、そのような煩雑な制御が生じず、容易に液状体の厚みを均一に配置することができる。そのため、均一な厚みの薄膜を形成しやすくなる。
【００１２】
本発明においては、前記隔壁は、光硬化性樹脂を用いて形成することが望ましい。
一般に光硬化性樹脂は硬化収縮が小さく成形精度が高いため、隔壁の微妙な大きさおよび位置の調整が可能であり、精度良く大きさを制御した受容部を形成することができる。
【００１３】
本発明においては、前記受容部を形成する工程では、前記複数の吐出ノズルを、幾つかの隣接する前記吐出ノズルを含む複数のノズル群に分割して、前記ノズル群が備える幾つかの前記吐出ノズルの各々に係る前記測定量の総量である総測定量を比較し、相対的に前記総測定量の多い前記ノズル群に対応する前記受容部の平面視面積を、相対的に前記総測定量の少ない前記ノズル群に対応する前記受容部の平面視面積よりも小さく形成し、前記薄膜を形成する工程では、前記複数のノズル群がそれぞれ対応する前記複数の受容部に前記液状体を配置することが望ましい。
この方法によれば、ノズル群に対応して形成する受容部の大きさがノズル群の吐出量バラつきに応じて変化しているため、吐出量バラつきを補正するための吐出ノズル毎の細かな吐出条件の設定が必要なく、液状体の厚みを均一に配置することができる。また、複数の吐出ノズルから共通する受容部に液状体を配置するために、効率的な液状体の配置が可能である。そのため、容易に均一な厚みの薄膜を形成することができる。
【００１４】
また、本発明のカラーフィルタの製造方法は、基板と前記基板上に予め設定された画素領域の周囲に配置された隔壁とで囲まれた複数の受容部と、前記受容部内の前記画素領域に形成された着色層と、を備え、電気的作用によって発光あるいは光の状態を変化させる電気光学素子を備えた電気光学装置において、前記電気光学素子と前記画素領域とが平面的に重なって取り付けられるカラーフィルタの製造方法であって、前記受容部の前記隔壁に係る側壁の深さ方向の一端部の平面視面積が、前記電気光学素子が備える画素電極の平面視面積以上で、且つ、前記深さ方向の他端部の平面視面積以下であり、前記着色層は、前述の薄膜形成方法を用いて、前記着色層の形成材料を含む液状体を前記受容部に配置し形成することを特徴とする。
この方法によれば、製造に用いる吐出ノズルの吐出量にバラつきがあっても、吐出量バラつきを補正するための吐出ノズル毎の細かな吐出条件の設定が必要なく、液状体の厚みを均一に配置することができる。そのため、均一な厚みの着色層を備え色ムラのない良好なカラーフィルタを製造することができる。
【発明を実施するための最良の形態】
【００１５】
以下、図１〜図１１を参照しながら、本発明の第１実施形態に係る薄膜形成方法について説明する。なお、以下の全ての図面においては、図面を見やすくするため、各構成要素の膜厚や寸法の比率などは適宜異ならせてある。
【００１６】
図１は、本実施形態の薄膜形成方法に用いる液滴吐出ヘッドの概略図である。図１（ａ）は概略断面図を示し、図１（ｂ）は液滴を吐出する面（下面）の構成を示す説明図である。
【００１７】
図１（ａ）に示す液滴吐出ヘッド１５１は、複数の吐出ノズル１６０を備えたマルチノズルタイプの液滴吐出ヘッドである。複数の吐出ノズルは、液滴吐出ヘッド１５１の下面に一方向に並んで一定間隔で設けられている。液滴吐出ヘッド１５１の吐出ノズル１６０からは、液状体の液滴が吐出される。吐出される液滴の一滴の量は、例えば１〜３００ナノグラムである。
【００１８】
本実施形態では、液滴吐出ヘッド１５１には電気機械変換式の吐出技術を採用したものを用いる。本方式では、液状体を収容する液体室１６１に隣接して圧電素子１６２が設置されている。液体室１６１には、液状体を収容する材料タンクを含む液状体供給系１６３を介して液状体が供給される。圧電素子１６２は駆動回路１６４に接続されており、この駆動回路１６４を介して圧電素子１６２に電圧を印加し、圧電素子１６２を変形させることにより、液体室１６１が変形して内圧が高まり、吐出ノズル１６０から液状体の液滴が吐出される。この場合、印加電圧の値を変化させることにより、圧電素子１６２の歪み量を制御し、液状体の吐出量を制御する。
【００１９】
図１（ｂ）に示すように、液滴吐出ヘッド１５１は、その下面に吐出ノズル１６０が整列配置した、例えば１８０個の吐出ノズル１６０からなるノズル列１７０を備えている。ここでは、吐出ノズル１６０は平面視略矩形の液滴吐出ヘッド１５１の下面の長軸方向と並行に配列している。なお、図では吐出ノズル１６０が１列に配列されているものとしているが、例えば千鳥状に２列配列されたものであってもよく、３列以上配列されたものであってもよい。また、ノズル列１７０を構成する吐出ノズル１６０の数についても、特に限定はない。
【００２０】
通常、液滴吐出ヘッド１５１が備える複数の吐出ノズル１６０からは、同じ印加電圧で同量の液滴を吐出可能となるように設計するが、成形時の加工誤差等に起因するノズル特性により、ほとんどの場合において各々の吐出ノズル１６０から吐出される液適量は同量とならない。そのため、全てのノズルに同じ印加電圧をかけて液滴の吐出を行うと、各々のノズル特性の差により吐出量に差を生じ、形成する薄膜の厚みムラの原因となる。この課題は液滴吐出ヘッド１５１自体が備える特性に起因するものであり、液滴吐出法を上記の電気機械変換式に替えて、帯電制御方式、加圧振動方式、電気熱変換方式、静電吸引方式などの吐出技術を用いるものとしても同様に課題は発生する。
【００２１】
本発明では、上述のように吐出量にバラつきのある吐出ノズル１６０から薄膜の形成材料を含む液状体を吐出し、均一な薄膜の形成を実現している。即ち、各々の吐出ノズル１６０からの正確な吐出量を測定し（測定量を得る工程）、次いで、測定量を元に薄膜を形成する基板上に隔壁を形成して液状体の受容部を設け（受容部を形成する工程）、次いで、各受容部に液状体を吐出し薄膜を形成することとしている（薄膜を形成する工程）。以下、各工程について順に説明する。
【００２２】
（測定量を得る工程）
まず、各々の吐出ノズル１６０の吐出量の測定方法について説明する。図２は、本実施形態における吐出量測定に適用される垂直走査方式の白色光干渉法（または白色干渉法）の原理を説明する概略図であり、吐出量の測定装置が備える光干渉計の概略図である。光干渉法の中でも、光源に白色光を用いる白色干渉法では、可干渉距離が短い白色光の性質に起因し、正確な測定値が得られるため好ましい。図に示す光干渉計は一例であり、ミラウ型と呼ばれる方式の光干渉計であるが、マイケルソン型、リニーク型と呼ばれる方式の光干渉計を用いることもできる。
【００２３】
図に示すように、白色干渉法においては、白色光源からの平行光を集束させるための対物レンズ２１と、この対物レンズ２１により集束された光を分離するためのビームスプリッタ２２と、このビームスプリッタ２２からの光を反射させるための反射鏡２３と、から構成される光干渉計を用いて実施される。また、このビームスプリッタ２２と反射鏡２３とは、一体として光干渉レンズ２４を構成しており、光軸方向に微小移動して、測定基板ＴＰ上の検査対象物１０との距離（Ｗ１）を変化させることができる位置調節機構を備えている。
【００２４】
測定基板ＴＰは液状体に対する接触角が９０度未満となっている。例えば、液状体に対する接触角が測定基板ＴＰと同じであるダミー基板を用いて液状体の接触角を測定しておき、接触角の測定結果から測定基板ＴＰを選択しても良い。接触角の測定方法としては従来公知の測定方法を用いることができる。例えば、液滴を球の一部と仮定し、液体配置面における液滴の輪郭と液滴の頂点とを結ぶ直線の配置面に対する角度を２倍した角度を接触角とするθ／２法や、液体配置面の法線に平行な液滴の断面の形状を円の一部と仮定し、求められる円の接線と液滴配置面とがなす角度を接触角として求める接線法を測定原理として接触角を求めることができる。その他にも、真円フィット法、楕円フィット法といったフィッティング法を用いることができる。
【００２５】
撥液性の異なる測定基板ＴＰは、ベースとなる基板の表層部を、異なる種類の撥液材料を用いて撥液膜（不図示）を形成することにより用意する。例えば、フルオロシラン化合物により基板表面を撥液処理する場合には、側鎖の長さや、分子に含まれるフッ素原子の数が異なるフルオロシラン化合物を用いて撥液膜を形成することにより、異なる撥液性を容易に実現できる。他に、撥液処理の処理時間を短くする、または使用する撥液材料の量を減らすなど、撥液膜の形成量を減らすことによっても撥液性を変化させることが可能であるが、撥液膜が少ないとまだらに撥液性が異なるおそれがあることから、撥液材料の種類を変えるほうが容易かつ確実で好ましい。
【００２６】
このような光干渉レンズ２４において、まず、白色光源から出射された入射光は、対物レンズ２１に対して照射されて集束光となる。この集束光は、対物レンズ２１の下方に配置されたビームスプリッタ２２によって、光の入射側であるビームスプリッタ２２の上側に反射する参照光Ｌ１と、検査対象物１０の配置側であるビームスプリッタ２２の下側に透過する測定光Ｌ２とに分離される。
【００２７】
参照光Ｌ１は、ビームスプリッタ２２の上側に配置されている反射鏡２３でビームスプリッタ２２の方向に反射し、更にビームスプリッタ２２の上面で反射することで参照光路をたどり、対物レンズ２１の方向へと照射される。一方、測定光Ｌ２は、検査対象物１０の表面で反射し、更にビームスプリッタ２２を透過することで測定光路をたどり、同じく対物レンズ２１方向へと照射される。これら参照光Ｌ１と測定光Ｌ２とは、それぞれ一部異なる光路をたどった後には同一光路上で重なり、互いに干渉して干渉光を形成する。
【００２８】
白色干渉法では、可干渉距離の短い白色光を用いていることから、参照光路と測定光路との光路差が無くなり光路の長さが一致する場合に干渉光の輝度が最大となる。そしてこの光路差は、ビームスプリッタ２２と検査対象物１０との間の距離（Ｗ１）と、反射鏡２３とビームスプリッタ２２との間の距離（Ｗ２）と、の距離差ΔＷ（＝Ｗ１−Ｗ２）に対応し、距離差ΔＷが０となるときに干渉光の輝度が最大となる。距離差ΔＷが０となる位置より距離Ｗ２を計測し、検査対象物１０の形状を測定する。
【００２９】
このような測定原理の吐出量の測定装置を用い、各々の吐出ノズルからの吐出量を測定する。図３は、各吐出ノズルの吐出量の測定を示す模式図である。まず、測定基板ＴＰに、吐出ノズル１６０から液状体を吐出し、乾燥させて薄膜形成材料の検査対象物１０を形成する。その後、白色干渉法を測定原理として検査対象物１０の形状を測定する。
【００３０】
ここで、測定基板ＴＰとしては、液状体に対する接触角が５０度以上７０度以下の範囲内の値を示す基板を選択すると、形成する検査対象物１０の端部形状が白色干渉法による測定に適したものとなる。形成される検査対象物１０の端部形状は配置した液滴の端部形状を反映したものであり、また、垂直走査方式の白色干渉法においては液滴の端部形状が測定の正確さに関わる重要な要素となっているからである。
【００３１】
例えば、図４（ａ）に示すように、液状体に対する接触角が５０度未満の測定基板ＴＰ１を用いると、塗布した液状体は薄くぬれ広がる。この場合には、形成される検査対象物１０は薄くぬれ広がるために輪郭が不明確となり、加えて、検査対象物１０の表面の各測定箇所間において、厚みの差が小さくなるため測定が困難となる。また、図４（ｂ）に示すように、液状体に対する接触角が７０度より大きく９０度未満の測定基板ＴＰ２を用いると、形成される検査対象物１０の端部が急峻に切り立っているため、測定される形状において検査対象物１０の表面が不連続となりやすく、測定誤差が出やすい。図４（ｃ）に示すように接触角が９０度以上の撥液性を示す測定基板ＴＰ３を用いる場合には、形成される検査対象物１０の端部が切り立ち、端部に垂直方向からは光が照射されない影の部分ＳＡ（図中の破線で丸く囲む箇所）が生じるおそれがある。そのため、白色干渉法を用いた測定結果に狂いが生じる。
【００３２】
このように、測定に適した表面性を備えた測定基板ＴＰを用いることで、白色干渉法を用いて検査対象物１０の形状を正確に測定することができる。検査対象物１０の形状から明らかとなる検査対象物１０の体積と、測定する液状体の濃度から、液状体の吐出量を算出することが可能であり、正確な吐出量の測定値が得られる。このような測定原理、測定装置を用いて、各吐出ノズル１６０から所定の吐出条件で吐出させた場合の吐出量（測定量）を測定する。
【００３３】
（受容部を形成する工程）
次に、得られた測定量を元に、薄膜を形成する基板上に隔壁を設け、液状体の受容部を形成する。図５、６には、受容部を形成した基板の概略図を示す。図５（ａ）、図６（ａ）は平面図を示し、図５（ｂ）および（ｃ）は図５（ａ）の線分Ａ−Ａにおける矢視断面図を、図６（ｂ）および（ｃ）は図６（ａ）の線分Ｂ−Ｂにおける矢視断面図をそれぞれ示す。
【００３４】
前述の測定の結果、各々の吐出ノズル１６０Ａ，Ｂ，Ｃについて、所定の量Ｖ０の液状体を吐出する吐出条件における正確な測定量が得られているものとする。更に、該吐出条件にて吐出ノズル１６０Ａから吐出される量Ｖ１、吐出ノズル１６０Ｂから吐出される量Ｖ２、吐出ノズル１６０Ｃから吐出される量Ｖ３について、それぞれＶ０＝Ｖ１、Ｖ０＜Ｖ２、Ｖ０＞Ｖ３という相対的な関係が成り立つものとする。
【００３５】
まず、図５には均一な大きさの受容部を形成した基板の概略図を示す。図５（ａ）に示すように、基板１８０上に設定された所定領域１８４の周囲に隔壁１８１を設け、形成された受容部１８２Ａ，１８２Ｂ，１８２Ｃが、同じ大きさの平面視面積を備える場合を考える。図には、隔壁１８１の対向する側壁の間隔Ｂ１，Ｂ２，Ｂ３が同じであるとして示している。このような場合、図５(ｂ)に示すように、吐出ノズル１６０Ａ，Ｂ，Ｃから吐出される液状体Ｌはそれぞれ量が異なるため、それぞれの受容部１８２に配置された液状体Ｌの高さＨ１，Ｈ２，Ｈ３は、量に応じて異なるものとなる。
【００３６】
一方、図６には各吐出ノズルの測定量に応じて受容部を形成した基板の概略図を示す。しかし本実施形態では、図６（ａ）に示すように、所定の量の液状体を吐出可能な吐出ノズル１６０Ａを基準とした場合、吐出ノズル１６０Ａよりも測定量が多い吐出ノズル１６０Ｂに対応する受容部１８２Ｂは、受容部１８２Ａよりも平面視面積を大きく、吐出ノズル１６０Ａよりも測定量が少ない吐出ノズル１６０Ｃに対応する受容部１８２Ｃは、受容部１８２Ａよりも平面視面積を小さく形成する。図には、隔壁１８１の対向する側壁の間隔Ｂ１，Ｂ２，Ｂ３が異なり、Ｂ２＞Ｂ１＞Ｂ３であるとして示している。このようにすることで、図６(ｂ)に示すように、吐出ノズル１６０Ａ，Ｂ，Ｃから、吐出される液状体Ｌはそれぞれ量が異なるが、それぞれの受容部１８２に配置された液状体Ｌの高さＨ１，Ｈ２，Ｈ３は、等しくすることができる。このような受容部１８２を形成する隔壁１８１は、例えば光硬化性樹脂を用いたフォトリソグラフィ技術により形成することができる。光硬化性樹脂は形成時間が短い上に、硬化収縮が小さく位置精度の向上が可能であるため、隔壁の形成材料として好ましい。
【００３７】
（薄膜を形成する工程）
次に、形成した各受容部に液状体を吐出し、例えば加熱することで液状体に含まれる溶媒を蒸発させて薄膜１８３を形成する。図５（ｃ）に示すように、各受容部１８２がそれぞれ同じ大きさであると、配置される液状体の量の差が受容部において配置された液状体の高さの差となって表れ、形成される薄膜１８３Ａ，Ｂ，Ｃの厚みに差が生じる。しかし、図６（ｃ）に示すように、各受容部は対応する吐出ノズル１６０の吐出量バラつきに合わせた形状をしているため、配置された液状体の高さの差が解消され、各液状体を蒸発させて形成される薄膜１８３Ａ，Ｂ，Ｃの厚みを均一なものとすることができる。
【００３８】
以上のような構成の薄膜形成方法によれば、吐出ノズル１６０の吐出量にバラつきがあっても、吐出ノズル１６０に対応して形成する受容部１８２の大きさが吐出量バラつきに応じて変化しているため、吐出量バラつきを補正するための吐出ノズル１６０毎の細かな吐出条件の設定が必要なく、液状体の厚みを均一に配置することができる。そのため、均一な厚みの薄膜１８３を形成することができる。
【００３９】
また、本実施形態では、測定量を得る工程では、液状体に対する接触角を制御した測定基板ＴＰ上に液状体を吐出し、白色光干渉法を用いて吐出量を測定することとしている。接触角を制御した条件で光干渉法を用いた測定を行うことにより、液状体の吐出量を正確に測定することができる。また、白色光は複数の波長の単色光が集合したものであることから単色光のように周期的に干渉光の強度が最大となることがなく、光路差が無い場合にのみ干渉光の強度が最大となる。そのため、測定量を一義的に規定し測定することができ、正確に吐出量を求めることができることから、精緻な測定に基づき均一な薄膜１８３を形成することができる。
【００４０】
また、本実施形態では、測定量を得る工程では、吐出した液状体に含まれる溶媒を蒸発させて形成材料の薄膜を成膜し、該薄膜の体積を測定して吐出量を算出することとしている。そのため、吐出量の測定において、液状体の溶媒が蒸発することによる体積変化に起因する測定誤差が無く、信頼性の高い測定を容易に行うことができる。
【００４１】
また、本実施形態では、隔壁１８１は光硬化性樹脂を用いて形成することとしている。一般に光硬化性樹脂は硬化収縮が小さく成形精度が高いため、隔壁１８１の微妙な大きさおよび位置の調整が可能であり、精度良く大きさを制御した受容部１８２を形成することができる。
【００４２】
なお、本実施形態では、白色干渉法を用いて吐出ノズル１６０からの吐出量を測定したが、これに限定されない。例えば、微少量を秤量可能な電子天秤を用いて、所定の吐出条件にて吐出される液滴の例えば５０滴分の吐出重量から平均吐出量を算出することとしてもよい。
【００４３】
（カラーフィルタの製造）
上述のような本実施形態の薄膜形成方法は、例えば次のようなカラーフィルタの製造に適用することができる。そこで、以下においては、カラーフィルタの製造を例に説明する。まず、図７は本実施形態の薄膜製造方法を用いて製造するカラーフィルタ７０を備える液晶表示装置（電気光学装置）１００の構成を説明する概略断面図である。なお、以下の図面において、Ｒ、Ｇ、Ｂの各文字は、赤、緑、青を示すものとする。
【００４４】
図に示す液晶表示装置１００は、画素電極６０や駆動素子等を備える素子基板３０と、素子基板３０に対向配置される対向基板４０と、素子基板３０と素子基板４０との間に挟持された液晶層５０と、液晶層５０の周囲を囲むように素子基板３０と対向基板４０との間に設けられ、素子基板３０と対向基板４０を貼り合わせるシール材８０とを備えている。対向基板４０の液晶層５０側には、カラーフィルタ層７１が配置されており、その上には共通電極６２が配置されている。画素電極６０、共通電極６２及びこれらに挟持される液晶層５０とで、液晶素子（電気光学素子）９０を構成している。この液晶表示装置１００は、素子基板３０から照明光が照射される構成となっている。
【００４５】
素子基板３０は、光透過性を備えた基板本体３１を備えている。基板本体３１を形成する材料には、例えばガラス、石英ガラス、窒化ケイ素等の無機物や、アクリル樹脂、ポリカーボネート樹脂等の有機高分子（樹脂）を用いることができる。
【００４６】
素子基板３０の装置内面側（液晶層５０側）には、素子層３２が形成されている。素子層３２は、液晶表示装置１００を駆動させるための駆動素子や、各種配線、更には層状に積層される無機物または有機物の絶縁膜などを備えている。駆動素子や各種配線はフォトリソグラフィによりパターニングした後エッチングすることにより、また、絶縁膜は蒸着法やスパッタ法など通常知られた方法により適宜形成することができる。
【００４７】
更に素子基板３０の装置内面側の面には、画素電極６０が形成されている。画素電極６０は、ＩＴＯ（インジウム錫酸化物）等の透明導電材料で形成されている。画素電極６０は、不図示の駆動素子と接続されており液晶の駆動を制御する。
【００４８】
一方、対向基板４０は、基板本体（基板）４１と、基板本体４１の液晶層５０側に設けられたカラーフィルタ層７１と、カラーフィルタ層７１を覆って設けられる保護層４２と、保護層４２上に形成される共通電極６２と、を備える。基板本体４１とカラーフィルタ層７１とで、本実施形態の薄膜製造方法を用いて製造するカラーフィルタ７０を構成している。
【００４９】
基板本体４１を形成する材料には、基板本体３１と同様の材料を用いることができ、例えばガラス、石英ガラス、窒化ケイ素等の無機物や、アクリル樹脂、ポリカーボネート樹脂等の有機高分子（樹脂）を用いることができる。
【００５０】
基板本体４１上には、カラーフィルタ層７１が設けられている。カラーフィルタ層７１は、着色層が配置された画素部７２と、画素部７２の周囲に設けられた隔壁７３と、を備えている。画素部７２は画素電極６０と平面的に重なって配置しており、画素部７２の平面視の大きさ（平面視面積）は、画素電極６０以上の平面視面積を備えている。図では、破線で示すように画素部７２は画素電極６０よりも大きい構成となっている。
【００５１】
図では隔壁７３は断面形状が矩形となっており、隔壁７３の側壁の一端部と他端部の平面視面積は同じである。しかし、図８（ａ）、（ｂ）に示すように、隔壁７３の断面形状が順テーパ状または逆テーパ状のようなテーパ状である場合には、隔壁７３の側壁の一端部または他端部の平面視面積が異なる。このような場合には、隔壁７３の側壁の一端部または他端部の平面視面積のうち、小さい方の平面視面積が画素電極６０以上の平面視面積を備えている。このような構成のため、画素電極６０に重なる液晶層５０を透過した光は、余さず画素部７２を透過することとなる。カラーフィルタ７０の構成については後述する。
【００５２】
カラーフィルタ層７１の表面を覆ってカラーフィルタ層７１の表面を保護する保護層４２が設けられている。保護層４２は、例えばエポキシ樹脂やアクリル樹脂などの透明性を有した樹脂材料を用いて形成することができる。
【００５３】
更に、保護層４２の表面には、共通電極６２が形成されている。共通電極３８は、ＩＴＯ等の光透過性を備えた導電性材料にて形成されている。
【００５４】
その他、素子基板３０および対向基板４０には、液晶層５０に含まれる液晶分子を所定の方向に配向させる配向膜や、入射光や透過光の偏光を制御する偏光板や、必要に応じて各層を接着するための接着層などがあるが図示を省略している。
【００５５】
（カラーフィルタ）
次に、カラーフィルタについて詳述する。図９に示すカラーフィルタ７０は、液晶表示装置１００のカラー表示に用いられるものであり、図９（ａ）は平面図、図９（ｂ）は図９（ａ）の線分Ｃ−Ｃにおける矢視断面図を示す。
【００５６】
図９（ａ）に示すように、基板本体４１の表面に、Ｒ、Ｇ、Ｂの各色に対応して着色された着色層７５を備える画素部７２と、画素部７２の間に形成された隔壁７３とを有したカラーフィルタ層７１を備えて構成されたものである。また、カラーフィルタ７０は、矩形の画素部７２がマトリクス状に整列されて形成されたものである。このマトリクスの配列は、図中の縦列が同色の画素部７２によって形成され、横列が、Ｒ、Ｇ、Ｂの順に画素部７２が並ぶ、いわゆるストライプ型の画素配列となっている。なお、本発明においては、例えばＲ、Ｇ、Ｂ以外の色要素を含むものであってもよい。
【００５７】
図９（ｂ）に示すように、隔壁７３は、基板本体４１上に設けられて、平面視矩形の画素部７２を区画形成するもので、光を遮光する遮光部（ブラックマトリクス）７６と、遮光部７６上に設けられた隔壁部７７とからなっている。遮光部７６は、例えばクロム等の遮光材料によって基板７４上にパターニングされたもので、隔壁部７７は、この遮光部７６上に形成された樹脂製のものである。画素部７２は、隔壁部７７によって区画された画素領域（所定領域７８）に形成されたもので、該所定領域７８上にＲ、Ｇ、Ｂの各色のカラーフィルタ材料からなる着色層７５（７５Ｒ、７５Ｇ、７５Ｂ）が配置され、図９（ａ）に示したＲ、Ｇ、Ｂからなるカラーフィルタ７０を構成するものである。
【００５８】
着色層７５は、後述するように、着色層７５の形成材料を含む液状体を、隔壁部７７で区画された所定領域７８を底部とする受容部７９に配置して形成する。ここで、液状体が受容部７９内に正確に配置されるように、液状体の配置前に、所定領域７８を形成する基板７４の露出面にＯ２プラズマ処理を行って親液化処理を施し、また、隔壁部７７の表面にＣＦ４などのフッ化炭素のプラズマ処理を行って撥液化処理を施しておくことが好ましい。
【００５９】
このような構成のもとにカラーフィルタ７０は、Ｒ、Ｇ、Ｂに着色された画素部７２の１つまたは複数に光が選択的に通過させられることにより、フルカラー表示をなすようになっている。
【００６０】
このようなカラーフィルタ７０の製造において、１つの吐出ヘッド１６０のみで１つの受容部７９に液状体を配置することは極めてまれであり、通常は複数の吐出ノズル１６０を用いて1つの受容部７９に液状体を配置し画素部７２を形成する。そのためここでは、複数の吐出ノズル１６０から共通する受容部７９に着色層７５の形成材料を含む液状体を吐出し、カラーフィルタ７０を製造する場合を想定し、以下説明を行う。
【００６１】
まず、図１０（ａ）に示すように、カラーフィルタ７０の製造に用いる液滴吐出ヘッド１５１が備える各々の吐出ノズル１６０から、測定基板ＴＰに液状体Ｌを吐出して吐出量を測定し、吐出量測定装置１３１で吐出量を測定し測定量を得る。この測定により、液滴吐出ヘッド１５１が備える吐出ノズル１６０間の吐出量バラつきが明確になり、液滴吐出ヘッド１５１の吐出特性が明らかになる。
【００６２】
次いで、図１０（ｂ）に示すように、得られた測定量に基づいて、隔壁７３を設け受容部７９を形成し、形成した受容部７９に、液滴吐出ヘッド１５１を相対的に走査させながら、液状体Ｌを配置する。ここでは、複数（図では２つ）の吐出ノズル１６０を1組のノズル群１６５として設定し、各ノズル群１６５から対応する受容部７９に液状体Ｌを吐出する。そのため受容部７９の大きさは、対応するノズル群１６５に含まれる吐出ノズル１６０の測定量の総量（総測定量）同士を比較して規定する。即ち、総測定量が相対的に多いノズル群１６５に対応する受容部１８２は、総測定量が相対的に少ないノズル群１６５に対応する受容部１８２よりも平面視面積を小さく形成する。この際、例えば所望の量を吐出可能なノズル群を基準とし、基準のノズル群の総測定量よりも総測定量が多いノズル群に対応する受容部１８２を小さく、基準のノズル群の総則定量よりも総測定量が少ないノズル群に対応する受容部１８２を大きく形成することとしてもよい。
【００６３】
ここで、受容部７９の大きさは、液滴吐出ヘッド１５１の走査方向に平行な方向に変化させることが好ましい。図１１には、２種の総測定量のノズル群１６５Ａ，Ｂを含む液滴吐出ヘッド１５１を走査させて液状体を塗布する様子を示す概略図である。ノズル群１６５１６５Ｂはノズル群１６５Ａよりも総測定量が少なく、ノズル群１６５Ｂに対応する受容部７９の平面視面積を変化させて、配置する液状体の厚みをそろえるものとする。
【００６４】
この場合、受容部７９の平面視面積を、液滴吐出ヘッド１５１の走査方向に垂直な方向（副走査方向）に変化させた受容部７９Ａにおいては、ノズル群１６５Ｂの吐出ヘッド１６０ａが符号ＡＲで示す受容部７９Ａと隔壁７３との境界に液状体を吐出することとなるため、受容部７９Ａに確実な量の液状体を配置できないおそれが生じる。そのため受容部７９Ａに所望の厚みの液状体を塗布するためには、更なる補正が必要となり操作が煩雑となってしまう。しかし、受容部７９の平面視面積を、液滴吐出ヘッド１５１の走査方向に平行な方向に変化させた受容部７９Ｂにおいては、このような不具合が生じず、ノズル群１６５Ｂから塗布する液状体を所望の厚みとすることが容易となる。
【００６５】
次いで、図１０（ｃ）に示すように、液状体が吐出された基板本体４１を、例えばセラミックヒーターやホットプレートのような温度制御装置を用いて加熱し、液状体が含む溶媒を蒸発させて着色層７５を形成する。以上のようにして、本実施形態の薄膜形成方法を用いてカラーフィルタ７０の製造を行う。
【００６６】
以上のような構成のカラーフィルタの製造方法によれば、製造に用いる吐出ノズル１６０の吐出量にバラつきがあっても、吐出量バラつきを補正するための吐出ノズル１６０毎の細かな吐出条件の設定が必要なく、液状体Ｌの厚みを均一に配置することができる。そのため、均一な厚みの着色層７５を備え色ムラのない良好なカラーフィルタ７０を製造することができる。
【００６７】
また、本実施形態では、液滴吐出ヘッド１５１の走査方向と平行な方向に受容部７９の平面視形状を変化させることとしている。そのため、副走査方向について吐出ノズル１６０と受容部７９との相対位置の制御を行う必要がなく、容易に液状体の厚みを均一に配置し、均一な厚みの着色層７５を形成しやすくなる。
【００６８】
また、本実施形態では、幾つかの吐出ノズル１６０を含む複数のノズル群１６５を用いて液状体を配置することとしており、各受容部７９は各ノズル群１６５の総測定量に基づいて形成することとしている。そのため、ノズル群１６５毎の吐出量バラつきを補正するための細かな吐出条件の設定が必要なく、液状体の厚みを均一に配置することができる。また、複数の吐出ノズル１６０から共通する受容部７９に液状体を配置するために、効率的な液状体の配置が可能である。そのため、容易に均一な厚みの着色層７５を形成することができる。
【００６９】
なお、本実施形態では、本発明の薄膜形成方法をカラーフィルタの製造方法に適用したが、本発明はこれに限定されることなく、隔壁に囲まれた所定領域に薄膜形成材料を含む液状体を配置する種々のものに適用することが可能である。具体的には、有機ＥＬ装置における有機機能材料、すなわち発光材料や正孔注入輸送材料等を所定領域に配置する際に、本発明の薄膜形成方法を適用することができる。
【００７０】
［電子機器］
次に、本発明の薄膜形成方法を用いて形成した電子機器の実施形態について説明する。図１２は、本発明の薄膜形成方法を用いて形成したカラーフィルタを備える電子機器の一例を示す斜視図である。図１２に示す携帯電話１３００は、本発明の液晶表示装置を小サイズの表示部１３０１として備え、複数の操作ボタン１３０２、受話口１３０３、及び送話口１３０４を備えて構成されている。これにより、本発明の薄膜形成方法により形成された濃淡ムラの無いカラーフィルタを備え、表示品質に優れる表示部を具備した携帯電話１３００を提供することができる。
【００７１】
上記各実施の形態の液晶表示装置は、上記携帯電話に限らず、電子ブック、プロジェクタ、パーソナルコンピュータ、ディジタルスチルカメラ、テレビジョン受像機、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々のカラーフィルタを用いてカラー表示を行う画像表示手段として好適に用いることができる。かかる構成とすることで、表示品質が高い表示部を備えた電子機器を提供できる。
【００７２】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００７３】
【図１】本実施形態の薄膜形成装置にかかる液滴吐出ヘッドの概略図である。
【図２】吐出量測定装置１３１が備える光干渉計の概略図である。
【図３】各吐出ノズルの吐出量の測定を示す模式図である。
【図４】好適な接触角でない場合の様子を説明するための模式図である。
【図５】比較例の薄膜形成方法を示す製造工程図である。
【図６】本実施形態の薄膜形成方法を示す製造工程図である。
【図７】カラーフィルタを備える液晶表示装置の構成を説明する概略断面図である。
【図８】カラーフィルタを備える液晶表示装置の変形例を説明する概略断面図である。
【図９】本実施形態の薄膜形成方法を用いて製造するカラーフィルタの概略図である。
【図１０】本実施形態の薄膜形成方法を用いたカラーフィルタの製造工程図である。
【図１１】受容部形状が好適でない場合の様子を説明するための模式図である。
【図１２】本発明を用いて形成した部品を備える電子機器の一例を示す斜視図である。
【符号の説明】
【００７４】
４１…基板本体（基板）、６０…画素電極、７０…カラーフィルタ、７３…隔壁、７５…着色層（薄膜）、７８…所定領域（画素領域）、７９…受容部、９０…液晶素子（電気光学素子）、１００…液晶表示装置（電気光学装置）、１６０…吐出ノズル、１６５…ノズル群、１８０…基板、１８１…隔壁、１８２…受容部、１８３…薄膜、１８４…所定領域、Ｌ…液状体、ＴＰ…測定基板、
【図１】
2009178674.tif 000003
【図２】
2009178674.tif 000004
【図３】
2009178674.tif 000005
【図４】
2009178674.tif 000006
【図５】
2009178674.tif 000007
【図６】
2009178674.tif 000008
【図７】
2009178674.tif 000009
【図８】
2009178674.tif 000010
【図９】
2009178674.tif 000011
【図１０】
2009178674.tif 000012
【図１１】
2009178674.tif 000013
【図１２】
2009178674.tif 000014